(57)【要約】【課題】ろ過片を取り替える際に、水ろ過装置を水面下から吊り上げる作業が不要である水ろ過装置、及び該水ろ過装置に使用される保持機構を提供する。【解決手段】水ろ過装置１０は、ろ過片１１が間隔を置いて互いに略平行に配列されるろ過モジュール１と、ろ過片１１と平行し、貫孔２１２及び案内部２１８が形成される案内ユニット２１４を有する側板体２１７を具えるフレームユニット２１と、収容空間２１１に収容されるろ過モジュール１に当接できる当接突起２２２と、案内部２１８と連動することにより、該当接ユニット２２とフレームユニット２１とが相対移動可能な方向へ案内するように構成される被案内部２２３と、を有する当接ユニット２２と、当接突起２２２が収容空間２１１にろ過モジュール１に当接する位置で、当接ユニット２２を可動しないロック状態で固定するロックユニット２３と、を具える保持機構２と、を備えている。【選択図】図４
0003220322.tif 000002
【実用新案登録請求の範囲】
【請求項１】
所定の高さ方向及び前記高さ方向と略直交する横方向に沿って板状に延伸する複数のろ過片が、前記高さ方向及び前記横方向の両方と略直交する幅方向に沿って、間隔を置いて互いに略平行に配列されているろ過モジュールを有する水ろ過装置において、前記ろ過モジュールを保持するように使用された保持機構であって、
前記ろ過モジュールを受け入れる収容空間を画成すると共に、上方に向かって開口する上部開口が形成されたフレームユニットと、前記フレームユニットの隣に可動的に配置されている当接ユニットと、前記フレームユニット及び前記当接ユニットを、前記当接ユニットが前記フレームユニットに対して可動しないロック状態に固定することができ、且つ、前記当接ユニットが前記フレームユニットに対して可動するリリース状態に切り替えることができるロックユニットと、を具え、
前記フレームユニットは、前記収容空間内に収容される前記ろ過モジュールの前記複数のろ過片と平行となるように配置される側板体を有し、前記側板体には、前記収容空間と連通している少なくとも１つの貫孔と、前記収容空間の反対側である外側へ突起する案内ユニットと、を有し、前記案内ユニットには、少なくとも１つの案内部が形成されており、
前記当接ユニットは、前記フレームユニットの前記側板体の前記外側に可動的に配置されていると共に、すべての前記貫孔とそれぞれ対応する当接突起と、すべての前記案内部とそれぞれ対応する被案内部と、を有し、各前記当接突起は、それぞれ対応する前記貫孔を経由して前記収容空間内に進入して前記収容空間内に収容される前記ろ過モジュールに当接することができるように構成され、各前記被案内部は、それぞれ対応する前記案内部と対応し且つ連動することにより、該当接ユニットと前記フレームユニットとが相対移動可能な方向へ案内するように構成されており、
前記ロックユニットは、前記フレームユニット及び前記当接ユニットを、前記当接ユニットの各前記当接突起がそれぞれ対応する前記貫孔を経由して前記収容空間内に進入して前記収容空間内に収容される前記ろ過モジュールに当接する位置で、前記当接ユニットを前記フレームユニットに対して可動しない前記ロック状態で固定する
ことを特徴とする保持機構。
【請求項２】
前記フレームユニットの前記案内ユニットは、それぞれ前記高さ方向に沿って延伸するように前記側板体から前記外側へ突起する一対の案内壁を有し、１つの前記案内部として、前記一対の案内壁にそれぞれ前記側板体から突起する先端縁から、前記収容空間側及び前記上部開口側に向かって傾斜して延伸する一対の案内溝を有しており、
さらに、１つの前記案内部が有する前記一対の案内壁にそれぞれ形成された前記１対の案内溝は、互いに対応し、前記横方向において略平行となるように配置形成されており、
前記当接ユニットが有する１つの前記被案内部として、前記横方向に沿って延伸する１つのガイドロッドを有しており、該ガイドロッドは対応する前記案内部が有する前記一対の案内溝に同時に嵌入すると共に、該案内溝の延伸方向に沿って、前記当接ユニットと共に前記フレームユニットに対して相対的に移動可能に取り付けられている
ことを特徴とする請求項１に記載の保持機構。
【請求項３】
前記ロックユニットは、外ネジを有する複数のロック手段を有しており、
前記フレームユニットには、前記上部開口に近い箇所に、前記複数のロック手段が挿入する複数の貫通孔が形成され、
前記当接ユニットは、それぞれ各前記貫通孔に対応していて、前記外ネジに対応する内ネジを備えた柱孔が内設されている複数の固定柱を更に具えており、
更に、前記フレームユニットに形成された前記複数の貫通孔と、前記当接ユニットに形成された前記複数の固定柱の前記柱孔とは、
前記当接ユニットの各前記当接突起がそれぞれ対応する前記貫孔を経由して前記収容空間内に進入して前記収容空間内に収容される前記ろ過モジュールに当接する位置で、互いに対応して前記ロック手段により一斉に挿通されて前記ロック状態となり、
前記ロック手段が前記当接ユニットに形成された前記複数の固定柱の前記柱孔から取り外されると、前記当接ユニットが前記フレームユニットに対して可動するリリース状態に切り替えられるように配置構成される
ことを特徴とする請求項１に記載の保持機構。
【請求項４】
それぞれ前記横方向に沿って間隔をあけるように配置され、且つ、前記上部開口を横断するように掛け渡されている２つの着脱自在な止め手段を更に具えている
ことを特徴とする請求項１に記載の保持機構。
【請求項５】
所定の高さ方向及び前記高さ方向と略直交する横方向に沿って板状に延伸する複数のろ過片が、前記高さ方向及び前記横方向の両方と略直交する幅方向に沿って、間隔を置いて互いに略平行に配列されているろ過モジュールと、請求項１〜請求項４のいずれか一項に記載の保持機構と、を備えている
ことを特徴とする水ろ過装置。
【請求項６】
各前記ろ過片は、比較的薄い中央部と、前記高さ方向に沿って延伸する周縁に、前記中央部より厚いエッジ部と、を有しており、
各前記ろ過片の前記エッジ部には、該ろ過片の中央部と隣のろ過片の中央部との間にある内空間の水を吸い出す連接管がそれぞれ取り付けられ、
前記連接管は、前記内空間から水を吸い出して前記フレームユニットに取り付けられる導水管に注入し、
前記導水管は、更にポンプと接続され、前記ポンプからろ過済みの水を出力する    
ことを特徴とする請求項５に記載の水ろ過装置。
【請求項７】
前記ろ過モジュールの前記高さ方向の下側から、各前記ろ過片に対して空気を供給する少なくとも１つの曝気孔を有している曝気モジュールを更に備え、
前記フレームユニットには、下方に向かうと共に、前記曝気モジュールの前記少なくとも１つの曝気孔に面するように開口する底部開口を更に具えている
ことを特徴とする請求項５に記載の水ろ過装置。
【考案の詳細な説明】
【技術分野】
【０００１】
本考案は水ろ過装置、及び該水ろ過装置に使用される保持機構に関する。
【背景技術】
【０００２】
特許文献１に記載された従来の水ろ過装置９は、一般家庭から排出される生活排水または工業廃水などの汚水を処理するものである。
【０００３】
図１に示されているように、該従来の水ろ過装置９は、間をあけていて互いに略平行となるように配置されている一対の側フレーム９１１からなるフレームユニット９１、それぞれ一対の側フレーム９１１の間のスペースに、互いに間隔を置いて略平行に配列される複数のろ過片９２と、フレームユニット９１の下側に配置され、複数のろ過片９２の下側から複数のろ過片９２に対して空気を供給することにより、該複数のろ過片９２に付着する汚泥などを気泡で取り除く曝気手段９３と、を備えている。
【０００４】
ちなみに、前記複数のろ過片９２は、一対の側フレーム９１１及び全ての前記ろ過片９２を一斉に挿通する保持ロッド９４によって、フレームユニット９１に保持されている。
【０００５】
汚水の処理を実行する際に、従来の水ろ過装置９は、汚水の水面下に放置されていて作動され、そして汚水を浄化することができる。
【先行技術文献】
【特許文献】
【０００６】
【特許文献１】台湾実用新案登録第Ｍ４９３４０６号明細書
【考案の概要】
【考案が解決しようとする課題】
【０００７】
しかしながら、上記のように、従来の水ろ過装置は、汚水の水面下に置かれてその汚水の処理を実行する。そのため、例えば、ろ過片の破損やろ過片の更新といった原因でろ過片を取り替える場合、従来の水ろ過装置全体を水面下から吊り上げ、そして保持ロッドを取り外してから、フレームユニットの一対の側フレームに保持されているろ過片を取り出さなければならないので、該水ろ過装置のメンテナンスを実行しにくく、吊り上げ作業により水ろ過装置を損壊する恐れもあり、そしてコストをもかかる欠点がある。そのため、該従来の水ろ過装置の構造の設計には改善の余地がある。
【０００８】
よって、本考案は上記問題点に鑑みて、上記欠点を解決できる水ろ過装置を提供することを目的とする。
【課題を解決するための手段】
【０００９】
上記課題を解決するための手段として、本考案は、所定の高さ方向及び高さ方向と略直交する横方向に沿って板状に延伸する複数のろ過片が、高さ方向及び横方向の両方と略直交する幅方向に沿って、間隔を置いて互いに略平行に配列されているろ過モジュールを有する水ろ過装置において、ろ過モジュールを保持するように使用された保持機構であって、ろ過モジュールを受け入れる収容空間を画成すると共に、上方に向かって開口する上部開口が形成されたフレームユニットと、フレームユニットの隣に可動的に配置されている当接ユニットと、フレームユニット及び当接ユニットを、当接ユニットがフレームユニットに対して可動しないロック状態に固定することができ、且つ、当接ユニットがフレームユニットに対して可動するリリース状態に切り替えることができるロックユニットと、を具え、フレームユニットは、収容空間内に収容されるろ過モジュールの複数のろ過片と平行となるように配置される側板体を有し、側板体には、収容空間と連通している少なくとも１つの貫孔と、収容空間の反対側である外側へ突起する案内ユニットと、を有し、案内ユニットには、少なくとも１つの案内部が形成されており、当接ユニットは、フレームユニットの側板体の外側に可動的に配置されていると共に、すべての貫孔とそれぞれ対応する当接突起と、すべての案内部とそれぞれ対応する被案内部と、を有し、各当接突起は、それぞれ対応する貫孔を経由して収容空間内に進入して収容空間内に収容されるろ過モジュールに当接することができるように構成され、各被案内部は、それぞれ対応する案内部と対応し且つ連動することにより、該当接ユニットとフレームユニットとが相対移動可能な方向へ案内するように構成されており、ロックユニットは、フレームユニット及び当接ユニットを、当接ユニットの各当接突起がそれぞれ対応する貫孔を経由して収容空間内に進入して収容空間内に収容されるろ過モジュールに当接する位置で、当接ユニットをフレームユニットに対して可動しないロック状態で固定する保持機構を提供する。
【００１０】
また、本考案は、所定の高さ方向及び高さ方向と略直交する横方向に沿って板状に延伸する複数のろ過片が、高さ方向及び横方向の両方と略直交する幅方向に沿って、間隔を置いて互いに略平行に配列されているろ過モジュールと、上記の保持機構と、を備えている水ろ過装置をも提供する。
【考案の効果】
【００１１】
上記構成によれば、本考案の水ろ過装置は、ろ過モジュールを受け入れる収容空間を画成すると共に、上方に向かって開口する上部開口が形成されたフレームユニットと、フレームユニットの隣に可動的に配置されている当接ユニットと、当接ユニットがフレームユニットに対して可動しないロック状態及び当接ユニットがフレームユニットに対して可動するリリース状態に切り替えることができるロックユニットと、を備えた保持機構を用いて、ろ過片を取り替える際に、水ろ過装置を水面下から吊り上げることなく、水面の近くにあるロックユニットを操作して当接ユニットをリリース状態に切り替えると、フレームユニットの上部開口を径由してろ過片を取り出すことができる。
【００１２】
よって、本考案の水ろ過装置を水面下から吊り上げる作業が不要となるため、水ろ過装置が損壊されてしまう可能性を抑えることができる。また、水ろ過装置のメーンテナンスを容易に実行することができ、コストをも低減することができる。
【図面の簡単な説明】
【００１３】
【図１】従来の水ろ過装置が示される斜視図である。
【図２】本考案に係る水ろ過装置の実施形態が示される斜視図である。
【図３】図２に示される水ろ過装置の反対側が示される斜視図である。
【図４】該実施形態の構成が示される分解斜視図である。
【図５】該実施形態のろ過モジュールが示される斜視図である。
【図６】図５の分解斜視図である。
【図７】図２におけるＶＩＩ−ＶＩＩ線に沿った断面の断面図である。
【考案を実施するための形態】
【００１４】
図２〜図７を参照して本考案に係る水ろ過装置１０の実施形態を説明する。ここで、図２は本考案に係る水ろ過装置１０の実施形態が示される斜視図であり、図３は図２に示される水ろ過装置１０の反対側が示される斜視図であり、図４は該実施形態の構成が示される分解斜視図である。
【００１５】
また、図５は該実施形態のろ過モジュール１が示される斜視図であり、図６は図５の分解斜視図であり、図７は図２におけるＶＩＩ−ＶＩＩ線に沿った断面の断面図である。
【００１６】
本考案に係る水ろ過装置１０は、汚水浄化槽(図示せず)に放置されていて作動されるものである。
【００１７】
図２〜図４に示されるように、本考案に係る水ろ過装置１０は、複数のろ過片１１を有するろ過モジュール１と、ろ過モジュール１を保持するように使用された保持機構２と、ポンプと接続され、ポンプ（図示せず）からろ過済みの水を出力する導水管３と、ろ過モジュール１の下側に配置される曝気モジュール４と、を備えている。
【００１８】
ろ過モジュール１は、処理水と汚泥とを分離することができ、且つ、図５に示されるように、高さ方向Ｄ２及び高さ方向Ｄ２と略直交する横方向Ｄ３に沿って板状に延伸する複数のろ過片１１が、高さ方向Ｄ２及び横方向Ｄ３の両方と略直交する幅方向Ｄ１に沿って、間隔を置いて互いに略平行に配列されている。
【００１９】
各ろ過片１１は、図５及び図６に示されるように、比較的薄い中央部と、高さ方向Ｄ２に沿って延伸する周縁に、中央部より厚いエッジ部１１１と、を有している。且つ、該ろ過片１１の中央部と隣のろ過片１１の中央部との間には、汚水を流させるための内空間（図示せず）が画成されている。また、ろ過片１１としては、例えば精密ろ過膜（ＭＦ膜）や限外ろ過膜（ＵＦ膜）などの分離膜を有する構成を採用することができる。
【００２０】
各ろ過片１１のエッジ部１１１には、図５及び図６に示されるように、各ろ過片１１の間にある内空間の水を吸い出す連接管１１２がそれぞれ取り付けられる。そして、連接管１１２は、内空間から水を吸い出してフレームユニット２１に取り付けられる導水管３に注入する。
【００２１】
ここで、各ろ過片１１には、エッジ部１１１が高さ方向Ｄ２に沿って延伸する周縁に形成されるのみならず、横方向Ｄ３に沿って延伸する周縁にも形成されている。すなわち、中央部が凹陥する形状になっている。
【００２２】
保持機構２は、図２〜図４に示されるように、ろ過モジュール１を受け入れる収容空間２１１を画成すると共に、上方に向かって開口する上部開口２１１ａが形成されたフレームユニット２１と、フレームユニット２１の隣に可動的に配置されている当接ユニット２２と、フレームユニット２１及び当接ユニット２２を、当接ユニット２２がフレームユニット２１に対して可動しないロック状態に固定することができ、且つ、当接ユニット２２がフレームユニット２１に対して可動するリリース状態に切り替えることができるロックユニット２３と、を具えている。
【００２３】
フレームユニット２１は、図２〜図４に示されるように、収容空間２１１内に収容されるろ過モジュール１の複数のろ過片１１と平行となるように配置される一対の側板体２１７を有している。
【００２４】
そして、該一対の側板体２１７は、図４に示されるように、ろ過モジュール１を受け入れる収容空間２１１を間に画成する上、上方に向かって開口する上部開口２１１ａが形成されるのみならず、横方向Ｄ３に沿って両サイドに向かってろ過モジュール１が通過できる側部開口２１１ｂが更に形成されている。
【００２５】
また、側板体２１７には、図４に示されるように、収容空間２１１と連通している少なくとも１つの貫孔２１２と、収容空間２１１の反対側である外側へ突起する案内ユニット２１４と、を有し、案内ユニット２１４には、少なくとも１つの案内部２１８が形成されている。
【００２６】
フレームユニット２１の案内ユニット２１４は、図２及び図４に示されるように、それぞれ高さ方向Ｄ２に沿って延伸するように側板体２１７から外側へ突起する一対の案内壁２１３を有し、また、１つの案内部２１８として、一対の案内壁２１３にそれぞれ側板体２１７から突起する先端縁から、収容空間２１１側及び上部開口２１１ａ側に向かって傾斜して延伸する一対の案内溝２１９を有している。
【００２７】
１つの案内部２１８が有する一対の案内壁２１３にそれぞれ形成された１対の案内溝２１９は、互いに対応し、横方向Ｄ３において略平行となるように配置形成されている。
【００２８】
当接ユニット２２は、図２及び図４に示されるように、支持部２２１と、支持部２２１からフレームユニット２１の側板体２１７に延伸する当接突起２２２と、すべての案内部２１８とそれぞれ対応する被案内部２２３と、を有している。
【００２９】
各当接突起２２２は、フレームユニット２１の側板体２１７の外側に可動的に配置されていると共に、すべての貫孔２１２とそれぞれ対応し、且つ、当接ユニット２２がフレームユニット２１に対して可動しないロック状態にする際に、それぞれ対応する貫孔２１２を経由して収容空間２１１内に進入して収容空間２１１内に収容されるろ過モジュール１に当接することができるように構成される。
【００３０】
各被案内部２２３は、それぞれ対応する案内部２１８と対応且つ連動することにより、該当接ユニット２２とフレームユニット２１とが相対移動可能な方向を案内するように構成されている。
【００３１】
また、当接ユニット２２が有する１つの被案内部２２３として、横方向Ｄ３に沿って延伸する１つのガイドロッド２２５を有している。該ガイドロッド２２５は、対応する案内部２１８が有する一対の案内溝２１９に同時に嵌入すると共に、該案内溝２１９の延伸方向に沿って、当接ユニット２２と共にフレームユニット２１に対して相対移動可能に取り付けられている。
【００３２】
ロックユニット２３は、図２〜図４に示されるように、外ネジ（図示せず）を有する複数のロック手段２３１を有し、且つ、フレームユニット２１及び当接ユニット２２を、当接ユニット２２の各当接突起２２２がそれぞれ対応する貫孔２１２を経由して収容空間２１１内に進入して収容空間２１１内に収容されるろ過モジュール１に当接する位置で、当接ユニット２２をフレームユニット２１に対して可動しないロック状態で固定する。
【００３３】
フレームユニット２１には、上部開口２１１ａに近い箇所に、複数のロック手段２３１が挿入する複数の貫通孔２１５が形成されている。そして、当接ユニット２２は、それぞれ各貫通孔２１５に対応していて、外ネジに対応する内ネジを備えた柱孔２２６が内設されている複数の固定柱２２５を更に具えている。
【００３４】
フレームユニット２１に形成された複数の貫通孔２１５と、当接ユニット２２に形成された複数の固定柱２２５の柱孔２２６とは、当接ユニット２２の各当接突起２２２がそれぞれ対応する貫孔２１２を経由して収容空間２１１内に進入して収容空間２１１内に収容されるろ過モジュール１に当接する位置で、互いに対応してロック手段２３１により一斉に挿通されてロック状態となる。
【００３５】
すなわち、各ロック手段２３１は、それぞれ対応する貫通孔２１５を径由して対応する固定柱２２５の柱孔２２６に螺合締結すると、固定柱２２５をフレームユニット２１の貫通孔２１５に近くさせると共に、当接ユニット２２を案内溝２１９に沿ってフレームユニット２１に対して収容空間２１１に向かって相対移動させる。そして、各当接突起２２２は、対応する貫孔２１２に挿通されていて、貫孔２１２に最も近いろ過片１１のエッジ部１１１に当接され、当接ユニット２２がフレームユニット２１と共に、ろ過モジュール１を保持させる。
【００３６】
また、ロック手段２３１は、当接ユニット２２に形成された複数の固定柱２２５の柱孔２２６から取り外されると、当接ユニット２２がフレームユニット２１に対して可動するリリース状態に切り替えられるようになっている。そして、ろ過片１１を取り替える作業を実行することができる。
【００３７】
本実施形態では、保持機構２は、図２及び図４に示されるように、ろ過モジュール１を保持する際に、ろ過片１１が収容空間２１１から上部開口２１１ａを径由して逸脱することを防止するために、それぞれ横方向Ｄ３に沿って間隔をあけるように配置され、且つ、上部開口２１１ａを横断するように掛け渡されている２つの着脱自在な止め手段２４ａを更に具えている。
【００３８】
また、この実施形態において、収容空間２１１の上部開口２１１ａに配置される止め手段２４ａの他に、収容空間２１１の側部開口２１１ｂを横断するように掛け渡されている止め手段２４ｂをも配置している。
【００３９】
また、各止め手段２４ａには、図７に示されるように、収容空間２１１に延伸し、且つ、各ろ過片１１のエッジ部１１１を押し止めるように配置構成されている押止部２４１を更に有している。
【００４０】
ろ過片１１を取り替える作業を実行する場合、止め手段２４ａが収容空間２１１の上部開口２１１ａに配置されているため、水ろ過装置１０を水面下から吊り上げることなく、水面下において当接ユニット２２がフレームユニット２１に対してロック状態からリリース状態に切り替えて、そして止め手段２４ａを外し、ろ過片１１を容易に取り出すことができる。
【００４１】
また、本実施形態では、フレームユニット２１は、図２及び図４に示されるように、上部開口２１１ａ及び側部開口２１１ｂ両方の開口縁に導水管３を保持する固定フレーム２１６を更に具えている。そして、導水管３は、固定手段５により固定フレーム２１６に保持することができる。
【００４２】
導水管３は、可撓性を有する送水管(図示せず)を用いて、ろ過片１１のエッジ部１１１ａに取り付けられている連接管１１２と連通する複数の導水支管３２を更に具えている。
【００４３】
また、導水管３の一端がポンプ(図示せず)と接続され、そしてポンプを利用してろ過モジュール１の内空間にあるろ過された水を連接管１１２と送水管と導水支管３２と導水管３とを順番に経由して出力させることができる。
【００４４】
曝気モジュール４は、収容空間２１１にある汚水を攪拌していて各ろ過片１１の中央部と隣のろ過片１１の中央部との間にある内空間に進入させるように配置されるものであり、且つ、図４に示されるように、フレームユニット２１の高さ方向Ｄ２の下側に支持スタンド４１と、空気を供給する少なくとも１つの曝気孔４２３を有するＬ字形状の曝気管４２と、を具えている。
【００４５】
また、フレームユニット２１には、下方に向かうと共に、曝気管４２の少なくとも１つの曝気孔４２３に面するように開口する底部開口２１１ｃを具えている。
【００４６】
支持スタンド４１は、高さ方向Ｄ２に沿って延伸している空気通路４１１を有している。且つ、該空気通路４１１は、フレームユニット２１の底部開口２１１ｃを連通する上端開口４１１ａが開口され、一方、上端開口４１１ａの反対側に下端開口４１１ｂが開口されている。
【００４７】
また、曝気孔４２３は、ろ過モジュール１の高さ方向Ｄ２の下側から、底部開口２１１ｃを経由して各ろ過片１１に対して空気を供給している。
【００４８】
該Ｌ字形状の曝気管４２は、図３及び図４に示されるように、垂直セクション４２１と、平行セクション４２２と、を区分されている。
【００４９】
垂直セクション４２１は、いずれか１つのフレームユニット２１の高さ方向Ｄ２に延伸する周縁と略平行とすると共に、一端が空気供給装置(図示せず)を接続し、他端が平行セクション４２２を接続している。
【００５０】
平行セクション４２２は、垂直セクション４２１を接続し、支持スタンド４１内にろ過モジュール１と間隔をあけていて、空気通路４１１の下側にフレームユニット２１の横方向Ｄ３と略平行となるように配置されると共に、支持スタンド４１にある空気通路４１１の下端開口４１１ｂに面する少なくとも１つの曝気孔４２３を有している。
【００５１】
そして、曝気管４２により空気通路４１１を経由してろ過モジュール１に供給された空気は、下から上へ上昇する空気の気泡を利用して各ろ過片１１に付着する汚泥などを気泡で取り除くことで、各ろ過片１１が水をろ過する効果を維持することができる。
【００５２】
総括すると、本考案の水ろ過装置１０は、ろ過モジュール１を受け入れる収容空間２１１を画成すると共に、上方に向かって開口する上部開口２１１ａが形成されたフレームユニット２１と、フレームユニット２１の隣に可動的に配置されている当接ユニット２２と、当接ユニット２２がフレームユニット２１に対して可動しないロック状態及び当接ユニット２２がフレームユニット２１に対して可動するリリース状態に切り替えることができるロックユニット２３と、を備えた保持機構２を用いて、ろ過片１１の破損あるいはろ過片１１の更新などの原因でろ過片１１を取り替えることを行う場合に、水ろ過装置１０を水面下から吊り上げることなく、水面下においてロックユニット２３を制御して、当接ユニット２２がフレームユニット２１からリリースすることによって、ろ過片１１をフレームユニット２１の上部開口２１１ａを通して取り出すことができる。
【００５３】
そのため、水ろ過装置１０が損壊されてしまう可能性を低くすることができる。さらに、水ろ過装置１０のろ過片１１の取り替える工程を簡単化する目的を達成することができ、メーンテナンスのコストを大いに低減することができる。
【００５４】
上記実施形態のように、本考案は、その要旨を逸脱しない範囲で種々の変更が可能である。
【産業上の利用可能性】
【００５５】
上記のように記載された構成によって、本考案の水ろ過装置は、ろ過モジュールを受け入れる収容空間を画成すると共に、上方に向かって開口する上部開口が形成されたフレームユニットと、フレームユニットの隣に可動的に配置されている当接ユニットと、フレームユニット及び当接ユニットを、当接ユニットがフレームユニットに対して可動しないロック状態に固定することができ、且つ、当接ユニットがフレームユニットに対して可動するリリース状態に切り替えることができるロックユニットと、を備えた保持機構を用いて、ろ過片の破損あるいはろ過片の更新によりろ過片を取り替える場合に、水ろ過装置を水面下から吊り上げる必要がなく、水面下においてロックユニットを調節して、当接ユニットがフレームユニットに対してリリースすることによって、ろ過片をフレームユニットの上部開口を径由して取り出すことができる。
【００５６】
なお、ろ過片を取り替える際に、水ろ過装置を水面下から吊り上げる作業が不要であるため、水ろ過装置が損壊されてしまう恐れを避けることができる。さらに、水ろ過装置のろ過片の取り替える工程を簡単化することができ、コストをも低減することができる。そのため、産業上の利用可能性がある。
【符号の説明】
【００５７】
１    ろ過モジュール
１１    ろ過片
１１１    エッジ部
１１２    連接管
２    保持機構
２１    フレームユニット
２１１    収容空間
２１１ａ    上部開口
２１１ｂ    側部開口
２１１ｃ    底部開口
２１２    貫孔
２１３    案内壁
２１４    案内ユニット
２１５    貫通孔
２１６    固定フレーム
２１７    側板体
２１８    案内部
２１９    案内溝
２２    当接ユニット
２２１    支持部
２２２    当接突起
２２３    被案内部
２２４    ガイドロッド
２２５    固定柱
２２６    柱孔
２３    ロックユニット
２３１    ロック手段
２４ａ    止め手段
２４ｂ    止め手段
２４１    押止部
３    導水管
３２    導水支管
４    曝気モジュール
４１    支持スタンド
４１１    空気通路
４１１ａ    上端開口
４１１ｂ    下端開口
４２    曝気管
４２１    垂直セクション
４２２    平行セクション
４２３    曝気孔
５    固定手段
１０    水ろ過装置
Ｄ１    幅方向
Ｄ２    高さ方向
Ｄ３    横方向
９    従来の水ろ過装置
９１    フレームユニット
９１１    側フレーム
９２    ろ過片
９３    曝気手段
９４    保持ロッド
【図１】
0003220322.tif 000003
【図２】
0003220322.tif 000004
【図３】
0003220322.tif 000005
【図４】
0003220322.tif 000006
【図５】
0003220322.tif 000007
【図６】
0003220322.tif 000008
【図７】
0003220322.tif 000009